(57)【要約】【課題】  船内ネットワークに接続された複数の表示器の画面設定を効率よく容易に行うことができる船内表示機の画面設定方法を提供する。【解決手段】  船内に設けられた複数の表示器１を通信ラインで連結した船内ネットワークを有する船舶における各表示器の画面設定方法において、前記船内ネットワークに端末機４を接続し、該端末機４に前記複数の表示器１のデータを取り込み、該端末機４内で各表示器１の画面設定を行い、表示器１の画面設定が終了した後、画面設定データを前記通信ラインを介して該端末機４から各表示器１に送信する。【選択図】        図１
2006056484.tif 000002
【特許請求の範囲】
【請求項１】
船内に設けられた複数の表示器を通信ラインで連結した船内ネットワークを有する船舶における各表示器の画面設定方法において、
前記船内ネットワークに端末機を接続し、該端末機に前記複数の表示器のデータを取り込み、該端末機内で各表示器の画面設定を行い、表示器の画面設定が終了した後、画面設定データを前記通信ラインを介して該端末機から各表示器に送信することを特徴とする船舶内表示器の画面設定方法。
【請求項２】
前記端末機内で設定中の船内の表示器を点滅させることを特徴とする請求項１に記載の船舶内表示器の画面設定方法。
【請求項３】
前記端末機の画面に前記表示器の画面を表示することを特徴とする請求項１に記載の船舶内表示器の画面設定方法。
【請求項４】
各表示器の設定データを前記端末機のメモリに保存することを特徴とする請求項１に記載の船舶内表示器の画面設定方法。
【発明の詳細な説明】
【技術分野】
【０００１】
本発明は、船内ネットワークに接続された船舶内表示器の画面設定方法に関する。
【背景技術】
【０００２】
複数の船外機やスターンドライブ等の推進装置を備え、船内と推進装置をＬＡＮ等の通信ネットワークで接続し、各推進装置に制御信号を送ることにより、船内からネットワークを介して各推進装置を制御する船内ネットワークシステムが実用化されている。
船内ネットワークに接続される船外機が複数ある場合に、船外機の設置された位置に応じた制御等を容易に行える船外機状態表示装置、船内ネットワークシステム等が特許文献１に記載されている。この特許文献１は、エンジン回転数やオイル量等のエンジン状態を表示する表示器がどのエンジンの状態を表示するのかを識別するエンジン位置識別機構を備え、表示器に表示されたエンジン状態情報とそのエンジンの位置を対応させることにより、各エンジンをエンジン状態に応じて制御する表示装置及び船内ネットワークシステムを開示する。
しかし、この特許文献１は、表示器とエンジン位置との関連について記載するが、データを表示する表示方法について、例えばデータをデジタル表示あるいはグラフ表示で表示するかなどの顧客の要求に合せて表示画面を初期設定するカスタマイズについては記載していない。
また、カスタマイズする場合、例えば運転席が複数あって、各運転席に表示器が備わる場合に、どの運転席の表示器を設定しているかを明確に認識する必要がある。また、設定する表示画面が実際にどのようなものかを設定中に認識できれば容易に確実に画面設定ができる。さらに、同じ初期設定を行う表示器が複数ある場合に、同じ設定データを利用して効率よくカスタマイズできるようにすることが望まれる。
【０００３】
一方、複数の表示器を備えた船舶で、各表示器をカスタマイズする場合、個々の表示器ごとに画面設定することは可能である。しかし、船内のそれぞれ離れた場所に設けられている表示器を個々に画面設定することは手間がかかり効率よく設定作業ができない。
【０００４】
【特許文献１】特開２００３−１２７９８５号公報
【発明の開示】
【発明が解決しようとする課題】
【０００５】
本発明は上記従来技術を考慮したものであって、船内ネットワークに接続された複数の表示器の画面設定を効率よく容易に行うことができる船内表示器の画面設定方法の提供を目的とする。
【課題を解決するための手段】
【０００６】
前記目的を達成するため、請求項１の発明は、船内に設けられた複数の表示器を通信ラインで連結した船内ネットワークを有する船舶における各表示器の画面設定方法において、前記船内ネットワークに端末機を接続し、該端末機に前記複数の表示器のデータを取り込み、該端末機内で各表示器の画面設定を行い、表示器の画面設定が終了した後、画面設定データを前記通信ラインを介して該端末機から各表示器に送信することを特徴とする船舶内表示器の画面設定方法を提供する。
【０００７】
請求項２の発明は、請求項１の発明において、前記端末機内で設定中の船内の表示器を点滅させることを特徴とする。
【０００８】
請求項３の発明は、請求項１の発明において、前記端末機の画面に前記表示器の画面を表示することを特徴とする。
【０００９】
請求項４の発明は、請求項１の発明において、各表示器の設定データを前記端末機のメモリに保存することを特徴とする。
【発明の効果】
【００１０】
請求項１の発明によれば、船内ネットワークに端末機を接続し、ネットワークに接続されている表示器のデータを端末機に取り込んで、この端末機内で表示器の画面設定を行い、設定終了後に画面設定データをネットワークを介して各表示器に送信するため、複数の表示器の画面設定が容易に効率よくできる。
【００１１】
請求項２の発明によれば、端末機で設定中の表示器が船内の実際のどの表示器かが点滅して判別できるため、表示器ごとに確実に適切な設定ができる。
【００１２】
請求項３の発明によれば、端末機の画面に表示器の設定画面が表示されるため、容易に確実に適切な画面を設定できる。また、設定後に画面の確認ができる。
【００１３】
請求項４の発明によれば、以前と同様のカスタマイズを行う場合に、端末機のメモリから以前の設定データを読み出してそのデータを使用することにより、効率よく画面設定ができる。
【発明を実施するための最良の形態】
【００１４】
図１は、本発明の実施形態の構成図である。
複数の表示器（ゲージ）１がＬＡＮ（又はＣＡＮ）の通信ネットワークに接続される。ＬＡＮは、コネクタ２を介してインターフェース３に接続される。コネクタ２は、エンジン（不図示）に接続するためのものであるが、表示器の画面設定時にはインターフェース３が接続される。インターフェース３にＰＤＡ等の携帯端末機４が接続される。端末機４にパソコン５が接続される。パソコン５に格納された画面設定プログラムにしたがって、端末機４を操作して表示器１の画面設定を行う。
【００１５】
図２は、端末機のゲージカスタマイズ画面の例を示す。
ゲージ名欄には、表示器の名称及び通し番号が表示される。位置欄には表示器が備わる操船席の番号（操船席が２ヵ所の場合には、１又は２など）が表示される。エンジン欄には、エンジンの番号が表示される（２基掛けの場合には１又は２、３基掛けの場合には１，２又は３など）。
【００１６】
表示１〜４欄は、クルージングやトローリングなどの運転状態に応じた４種類の画面設定を行うための表示である。各表示１〜４欄ごとに画面を番号で設定する。詳細欄をクリックすると表示器の設定画面が表示される。選択された欄が反転表示され、その欄の項目が▽マークによりスクロールされ設定される。
【００１７】
ファイルの枠は、過去に作成したカスタマイズ設定データを読み出すためのものである。保存の枠は、作成したカスタマイズ設定データを端末機４（又はパソコン５）に保存するためのものである。送信の枠は、設定したデータを表示器に送信するためのものである。リターンの枠は、設定が終了して選択画面に戻るためのものである。
【００１８】
図３は、表示器の設定画面の例を示す。
（Ａ）の３１，３２，３３は画面番号であり、各画面は上側にタコメータによるエンジン回転数データを表示し、その下側にサブ画面が設けられ、このサブ画面にこの例ではバッテリ電圧のデータを表示している。エンジン回転数は、１００ｒｐｍ単位又は１ｒｐｍ単位で表示される（図の例はいずれも１００ｒｐｍ単位）。バッテリ電圧は、バーグラフによる表示（３２番）、数値による表示（３３番）及びバーグラフと数値の両方による表示（３１番）がある。（Ｂ）に示す選択画面を端末機に表示して各画面表示を設定できる。図２のカスタマイズ画面の表示１〜４の詳細欄でこの設定画面が表示される。これらの画面のうち顧客が希望する画面を番号を選択して設定する。表示が不要の場合には、表示をしないように設定することもできる。
【００１９】
前述の図２で選択されて設定中の表示器は、端末機内で反転表示されるとともに、実際の船内の表示器が点滅する。この場合、例えば図３（Ｃ）に示すように、サブ画面にＣＨＯＳＥＮの文字が表示されこの文字が点滅する。
【００２０】
図４及び図５は、本発明の表示画面設定方法のフローチャートである。
ステップＳ１：
ネットワークに接続された表示器のリストを作成するため、アドレス要求と名付けられたメッセージの送信要求を行う。  
ステップＳ２〜Ｓ４：
各表示器からの端末機内でのアドレス要求を受信し、全ての表示器のアドレス要求の受信リストを作成する。
【００２１】
ステップＳ５：
受信リストの１番目の表示器から画面設定に必要な情報を得るために、宛先アドレスを１番目に設定する。
ステップＳ６〜Ｓ９：
受信リストの全ての表示器に対し、その表示器に関する情報（その表示器が何の表示器か（例えばタコメータあるいは速度計等）の情報）を受信する。
ステップＳ１０：
各表示器の画面設定に関するさらに詳細な情報を受信リストの１番目の表示器から得るために、宛先アドレスを１番目に設定する。
【００２２】
ステップＳ１１〜Ｓ１４：
受信リストの全ての表示器に対し、その表示器の画面設定に関する情報（例えばメートルやフィートなどの表示の単位）を受信する。
【００２３】
ステップＳ１５：
画面設定する表示器のリストを表示する。
【００２４】
ステップＳ１６：
画面設定する表示器を新たに選択する。
【００２５】
ステップＳ１７：
現在設定中の表示器のセッティングモードを通常モードに変更する。これは、前述の図２の反転表示を元に戻すことである。
【００２６】
ステップＳ１８：
新たに選択した表示器のセッティングモードをセッティング中に変更する。これは、前述の図２の選択された表示器の欄を反転表示することである。ステップＳ１６〜Ｓ１８のループで各表示器の画面設定を行う。
【００２７】
ステップＳ１９：
全ての表示器の設定が完了して設定データを各表示器に送信するかどうかを判別する。
【００２８】
ステップＳ２０：
設定が完了していない表示器がある場合に、選択画面に戻るかどうかを判別する。選択画面に戻る場合には図２のリターンをクリックして新たな表示器の画面設定を行う（ステップＳ１６〜Ｓ１８）。リターンしない場合には処理を終了する。
【００２９】
ステップＳ２１：
全ての表示器の設定が完了して設定データを順番に各表示器に送信する場合に、最初にデータを送る表示器のアドレスを宛先アドレスの１番目に設定する。
【００３０】
ステップＳ２２〜Ｓ２５：
各表示器ごとに設定された画面表示データを順番に全ての表示器に送信し、各表示機から設定データ受領の確認通知を受信する。
【産業上の利用可能性】
【００３１】
本発明は船舶に適用可能であり、特に複数の船外機やスターンドライブなどの推進装置を備えた船舶に適用すれば大きな効果が得られる。
【図面の簡単な説明】
【００３２】
【図１】本発明の実施形態の構成図。
【図２】本発明で用いる端末機の表示画面の例を示す図。
【図３】表示器の設定画面例の説明図。
【図４】本発明方法のフローチャート。
【図５】図４に続くフローチャート。
【符号の説明】
【００３３】
１：表示器、２：コネクタ、３：インターフェース、４：端末機、５：パソコン。
【図１】
2006056484.tif 000003
【図２】
2006056484.tif 000004
【図３】
2006056484.tif 000005
【図４】
2006056484.tif 000006
【図５】
2006056484.tif 000007